(57)【特許請求の範囲】
【請求項１】
上蓋部材と下蓋部材を上下に結合して蓋の内部空間を形成し、前記下蓋部材の上側に補強板を添え付け、この補強板を両側のフランジの縦壁間を水平な平板部で繋いだ形状とし、前記蓋の内部で蓋フックをフック回転軸回りに揺動自在に支持し、前記両側のフランジの間に位置する領域の上方にフック解除ボタンを配置し、前記蓋フックに、前記フック解除ボタンの下方に位置する操作伝達部を形成し、前記フック解除ボタンが前記操作伝達部を下側に押すことにより前記蓋フックがフック解除位置に変位するようにし、かつフック解除位置への変位後に該操作伝達部の回転停止位置が蓋内の回転規制部で決まるようにした炊飯器において、前記回転規制部を、前記蓋フックがフック解除位置に変位した後に前記操作伝達部又は前記フック解除ボタンとの当りで該蓋フック又は該フック解除ボタンの押し下げを阻止するように設け、前記回転規制部と前記操作伝達部又は前記フック解除ボタンとが当る位置を、前記操作伝達部の下面又は前記フック解除ボタンより下方であって、かつ前記平板部の上板面より上方とし、
炊飯鍋内と外部間の蒸気路に組み込まれた調圧弁と、ソレノイドコイルの駆動軸に連結されたスライダとを備え、このスライダは、前記駆動軸の進退により、前記操作伝達部又は前記フック解除ボタンとの当りにより前記蓋フックのフック解除位置への変位を阻止し、かつ前記調圧弁の閉弁を許すロック位置と、該操作伝達部又は該フック解除ボタンとの当りが外れて該蓋フックのフック解除位置への変位を許し、かつ該調圧弁を強制開弁するロック解除位置とを往復移動させられるようにし、前記スライダに、前記回転規制部を前記補強板の上板面を摺動するように設け、前記ロック解除位置で前記回転規制部が前記蓋フックの前記操作伝達部の下面又は前記フック解除ボタンの回転半径上に位置し、かつ前記フック解除位置への変位後に該操作伝達部又は該フック解除ボタンに当るようにしたことを特徴とする炊飯器。
【請求項２】
前記回転規制部を、前記ロック位置で前記操作伝達部又は該フック解除ボタンの回転半径上に位置する前記スライダのロック部より低く、かつ蓋フック側に突き出して設けることによりフック解除位置への変位後に該操作伝達部又は該フック解除ボタンに当るようにした請求項１に記載の炊飯器。
【発明の詳細な説明】
【技術分野】
【０００１】
この発明は、炊飯器に関する。
【背景技術】
【０００２】
一般に、炊飯器の蓋は、上蓋部材と下蓋部材を上下に結合して内部空間を形成し、その内部空間を各種の機器や部品の配置に利用したものとなっている。従来、蓋の変形を防止するため、内部空間を利用し、下蓋部材の上側に補強板を添え付けることが実施されている。この補強板は、一般に、両側のフランジの縦壁間を水平な平板部で繋いだ形状とされている。両側のフランジは、下蓋部材に固定されており、蓋の内部空間のうち、特に、両側のフランジの間に位置する領域が機器等の配置に利用されている。
【０００３】
具体的には、蓋の内部で蓋フックをフック回転軸回りに揺動自在に支持し、両側のフランジの間に位置する領域の上方に、フック解除ボタンを配置し、蓋フックに、フック解除ボタンの下方に位置する操作伝達部を形成し、フック解除ボタンのボタン押し操作により該ボタンが操作伝達部の上端を下側に押すことにより蓋フックがフック解除位置に変位するようにした蓋開閉構造が広く採用されている（例えば、特許文献１）。
【０００４】
金属板からなり揺動自在の蓋フックが、不要に押し下げられることは、蓋フックの変形や操作感に悪影響を与えることから、フック解除位置への変位後に該操作伝達部の回転停止位置が蓋内の回転規制部で決まるように構成されている。従来、回転規制部としては、フック解除ボタンと操作伝達部が補強板の両側のフランジの間の領域の上方にあることから、平板部の水平な上板面を利用している。
【０００５】
【特許文献１】特開２００１−１３７１１０号公報
【発明の開示】
【発明が解決しようとする課題】
【０００６】
しかしながら、操作伝達部の下面と平板部の水平な上板面との位置関係で操作伝達部の回転停止位置を決めると、前記補強板のフランジの上板面からの立ち上がり高さを大きくして補強板の剛性を高めたとき、上板面の位置を変更できず、補強板が高くなる分、上蓋部材も上方に位置させる必要があり、上蓋部材のコンパクト化を妨げてしまう。
【０００７】
上記の事情に鑑み、この発明の課題は、フック解除ボタンに押し下げられる蓋フックの操作伝達部の回転停止位置がフック解除位置への変位後に決まるようにしつつ、上蓋部材を大型化せずに補強板の剛性をフランジで高めることにある。
【課題を解決するための手段】
【０００８】
上記課題を解決するこの発明は、上蓋部材と下蓋部材を上下に結合して蓋の内部空間を形成し、前記下蓋部材の上側に補強板を添え付け、この補強板を両側のフランジの縦壁間を水平な平板部で繋いだ形状とし、前記蓋の内部で蓋フックをフック回転軸回りに揺動自在に支持し、前記両側のフランジの間に位置する領域の上方にフック解除ボタンを配置し、前記蓋フックに、前記フック解除ボタンの下方に位置する操作伝達部を形成し、前記フック解除ボタンが前記操作伝達部を下側に押すことにより前記蓋フックがフック解除位置に変位するようにし、かつフック解除位置への変位後に該操作伝達部の回転停止位置が蓋内の回転規制部で決まるようにした炊飯器において、前記回転規制部を、前記蓋フックがフック解除位置に変位した後に前記操作伝達部又は前記フック解除ボタンとの当りで該蓋フック又は該フック解除ボタンの押し下げを阻止するように設け、前記回転規制部と前記操作伝達部又は前記フック解除ボタンとが当る位置を、前記操作伝達部の下面又は前記フック解除ボタンより下方であって、かつ前記平板部の上板面より上方とした構成を特徴とする。
ここで、フック位置とは、蓋フックと器体肩部とが係合して蓋が閉じた状態に維持する蓋フックの位置をいう。フック解除位置とは、上記係合が解除される蓋フックの位置をいう。操作伝達部とは、蓋フックのうち、フック位置からフック解除位置に変位するまでの間、フック解除ボタンとの接触が維持される上面部分であり、この上面部分の上下方向反対側に位置する部分が操作伝達部の下面である。平板部の上板面とは、蓋フックがフック位置にある状態で、平板部の上側の板面のうち同一高さで水平な部分をいい、この部分の上下方向反対側に位置する板面部分が下蓋部材の上側に添え付けるときの基準面になる。
【０００９】
すなわち、前記回転規制部と前記操作伝達部又は前記フック解除ボタンとが当る位置を、前記操作伝達部の下面又は前記フック解除ボタンより下方であって、かつ前記平板部の上板面より上方とすれば、平板部の添え付け基準面で上下方向の固定位置が決まる上板面を基準に考えると、回転規制部と蓋フックの操作伝達部又はフック解除ボタンとの当り高さを上板面より上方にした分、平板部の上板面の固定位置を下げることができ、その分、フランジの上板面からの立ち上がり高さを大きくし、上蓋部材を大型化せずに補強板の剛性を高めることができる。
【００１０】
具体的には、炊飯鍋内と外部間の蒸気路に組み込まれた調圧弁と、ソレノイドコイルの駆動軸に連結されたスライダとを備え、このスライダは、前記駆動軸の進退により、前記操作伝達部又は前記フック解除ボタンとの当りにより前記蓋フックのフック解除位置への変位を阻止し、かつ前記調圧弁の閉弁を許すロック位置と、該操作伝達部又は該フック解除ボタンとの当りが外れて該蓋フックのフック解除位置への変位を許し、かつ該調圧弁を強制開弁するロック解除位置とを往復移動させられるようにし、前記スライダに、前記回転規制部を前記補強板の上板面を摺動するように設け、前記ロック解除位置で前記回転規制部が前記蓋フックの前記操作伝達部の下面又は前記フック解除ボタンの回転半径上に位置し、かつ前記フック解除位置への変位後に該操作伝達部又は該フック解除ボタンに当るようにした構成を採用することができる。
この構成によれば、加圧炊飯状態で蓋が開放されないようにする安全開放装置を蓋内に構成しながら、そのスライダを利用して回転規制部を設けることができる。
【００１１】
ここで、前記回転規制部を、前記ロック位置で前記操作伝達部又は前記フック解除ボタンの回転半径上に位置する前記スライダのロック部より低く、かつ蓋フック側に突き出して設けることによりフック解除位置への変位後に該操作伝達部又は該フック解除ボタンに当るように構成すれば、ロック部を、回転規制部に当てるのと同じ操作伝達部又はフック解除ボタンに当てることができるので、別途、ロック部を当てる係合部を設ける必要がない。
【００１２】
別の具体的構成として、前記回転規制部を、前記操作伝達部に繋がる突片を下向きに折り曲げて該操作伝達部の下面より下方に突き出すように形成した構成を採用すれば、蓋フックに上記間詰めをする回転規制部を形成することができ、部品数が増えない。
【００１３】
また、他の具体的構成として、前記回転規制部を、前記平板部を上方に切り起こして前記上板面より上方に突き出すように形成した構成を採用すれば、補強板の平板部に上記間詰めをする回転規制部を形成することができ、部品数が増えない。
【発明の効果】
【００１４】
上述のように、この発明に係る炊飯器は、回転規制部と蓋フックの操作伝達部又はフック解除ボタンとの当り高さを上板面より上方にしたことにより、その分、フランジの上板面からの立ち上がり高さを大きくすることができるので、フック解除ボタンに押し下げられる蓋フックの操作伝達部の回転停止位置がフック解除位置への変位後に決まるようにしつつ、上蓋部材を大型化せずに補強板の剛性をフランジで高めることができる。
【発明を実施するための最良の形態】
【００１５】
以下、この発明の第１実施形態に係る炊飯器を添付図面に基づいて説明する。
図１は、第１実施形態に係る炊飯器の蓋内の底面のみを斜め上方から示している。他の構成については、炊飯器として周知の構成を適宜に採用することができるため、図示及び説明を省略する。
図２（ａ）は、安全開放装置がロック位置にある状態を上方から示している。図２（ｂ）は、安全開放装置がロック解除位置にある状態を上方から示している。
図３は、図２（ａ）のＩＩＩ−ＩＩＩ線の切断面を示している。
【００１６】
図１〜図３に示すように、第１実施形態に係る炊飯器は、上蓋部材１０と下蓋部材１１が上下に結合されて蓋の内部空間が形成されている。下蓋部材１１の上側に補強板１２が添え付けられている。
【００１７】
補強板１２は、一枚のステンレス鋼板から形成され、下蓋部材１１の幅方向両側に形成されたリブ構造部にねじ止めされるフランジ１２ａ、１２ａの縦壁間を水平な平板部１２ｂ（蓋が閉じた状態における）で繋いだ形状になっている。フランジ１２ａ、１２ａの縦壁の長さ方向一端部に、蓋フック１３のフック回転軸１３ａを通す軸支持部１２ｃ、１２ｃが形成されている。フランジ１２ａ、１２ａの縦壁の長さ方向他端部に、蓋ヒンジ軸を通す軸支持部１２ｄ、１２ｄが形成されている。補強板１２の平板部１２ｂに、下蓋部材１１の上面を部分的に露出させる空所が形成されている。補強板１２の空所からは、調圧弁２０が内部に組込まれる調圧弁設置室２１、安全開放装置の組み立て用のねじ孔部等が上側に突き出している。
【００１８】
蓋フック１３は、金属板からなる。蓋フック１３は、フック回転軸１３ａ回りに上下に揺動自在に支持されている。幅方向両側のフランジ１２ａ、１２ａの間に位置する領域の上方に、フック解除ボタン１４が配置されている。フック解除ボタン１４は、上蓋部材１０の下端に上下に揺動自在に支持されている。蓋フック１３に、器体肩部に係合するフック部１３ｂが蓋外側に形成され、蓋内側に、フック解除ボタン１４の下方に位置する操作伝達部１３ｃが形成されている。
【００１９】
蓋は、蓋フック１３のフック部１３ｂが器体肩部から外れるフック解除位置になると、蓄積された蓋ヒンジばねの付勢力により自然と開き切るようになっている。蓋フック１３は、上蓋部材１０にボタン回転軸回りに上下に揺動自在に設けられたフック解除ボタン１４が押し下げられると、調圧弁２０側に突き出た操作伝達部１３ｃがフック解除ボタン１４により押し下げられる解除操作の伝達により、フック解除位置に移動する。フック解除ボタン１４による押し下げがなくなると、フック回転軸回りに蓄積されたばね付勢力により自然とフック部１３ｂが器体肩部に係合し、蓋を閉じた状態に維持するフック位置に戻る。
【００２０】
ここで、操作伝達部１３ｃとは、蓋フック１３のうち、フック位置からフック解除位置に変位するまでの間、フック解除ボタン１４との接触が維持される上側の板面部分であり、この上側の板面部分の上下方向反対側に位置する板面部分が操作伝達部１３ｃの下面である。すなわち、蓋フック１３から突片状に形成された部分の全部に限られない。平板部１２ｂの上板面とは、蓋フック１３がフック位置にある状態で、平板部１２ｂの上側の板面のうち同一高さで水平な部分をいい、この部分の上下方向反対側の下板面部分が下蓋部材１１の上側に添え付けるときの基準面になる。
【００２１】
この第１実施形態では、調圧弁２０の他に、別の調圧弁が設けられている。その別の調圧弁により、通常の炊飯圧力の制御が行なわれる。調圧弁２０は、別の調圧弁の最大開弁圧力より高い圧力で開弁する安全弁として機能するようになっている。炊飯工程の途中で、両調圧弁が閉弁し、炊飯鍋内が大気圧より高い加圧炊飯状態になる。別の調圧弁の方を安全開放装置に使用することもできる。
【００２２】
調圧弁設置室２１は、下蓋部材１１に設けられており、炊飯鍋内と外部間の蒸気路の一部となっている。調圧弁設置室２１内に収まる調圧弁２０は、ボール弁体２２の自重で弁孔２３を塞ぐボール弁からなる。ボール弁体２２は、弁座２４と弁室部材２５とで弁座２４上から外れないように位置決めされている。調圧弁２０が開弁すると、炊飯鍋内で発生した蒸気が蒸気路を経ておねば分離室に流入し、やがて蒸気口カバーに空いた蒸気孔を経て大気に開放される。なお、調圧弁２０は、室外から弁体の開閉動作を制御することが可能であれば弁形式を問わない。
【００２３】
蓋内に組み込まれる安全開放装置は、調圧弁２０と、ソレノイドコイル３０の駆動軸３１に連結されたスライダ４０と、このスライダ４０の移動を駆動軸３１の進退方向に規制するガイド５１、５２と、蓋フック１３の操作伝達部１３ｃとからなる。
【００２４】
スライダ４０は、図１、図２（ａ）、（ｂ）、図４（ａ）、（ｂ）、（ｃ）に示すように、枠状を成し、補強板１２の平板部１２ｂより上に突き出たガイド５１、５２と摺動する両側枠部４１、４２と、両側枠部４１、４２を進退方向の同側で繋ぐ両接続枠部４３、４４と、進退方向と直交する方向の一方側に突き出たロック部４５とを有している。スライダ４０は、一体射出成形されている。部品数の増大を防止するためである。
【００２５】
側枠部４１は、スライダ４０の進退方向と直交する方向の一方側においてガイド５１との摺動面が進退方向に一連で形成されたフレーム部分である。側枠部４２は、スライダ４０の他方側においてガイド５２との摺動面が進退方向に一連で形成されたフレーム部分である。両側枠部４１、４２は、補強板１２の平板部１２ｂの水平（蓋が閉じた状態で）な板面上を摺動するようになっている。
【００２６】
ソレノイドコイル３０は両側枠部４１、４２の間に配置されている。
【００２７】
両接続枠部４３、４４は、それぞれ両側枠部４１、４２を繋ぐフレーム部分である。調圧弁２０側の接続枠部４３は、弁操作用軸４３ａを一体に設けられると共に駆動軸３１に連結されている。弁操作用軸４３ａは、調圧弁設置室２１の室壁の一部を構成する弾性シール部材２１ａに突き当たっている。図３に示すように、弁孔２３を塞ぐボール弁体２２と弁操作用軸４３ａは、弾性シール部材２１ａを間において軸方向に対向する。駆動軸３１を弁操作用軸４３ａとしてもよい。
【００２８】
図２（ａ）、（ｂ）、図３に示すように、駆動軸３１は、ソレノイドコイル３０の励磁により、ソレノイドコイル３０に引き込まれるが、ソレノイドコイル３０から蓋フック１３側に突き出ることがない。ソレノイドコイル３０と調圧弁２０側の接続枠部４３の間に組み込まれたコイルばね３２は、駆動軸３１の引き込みに伴い圧縮される。ソレノイドの励磁がなくなると、コイルばね３２に蓄積されたばね力により、駆動軸３１が調圧弁２０側に突き出される。これにより、駆動軸３１がソレノイドコイル３０の制御により進退させられる結果、スライダ４０が往復移動するようになっている。
【００２９】
なお、駆動軸３１と弁操作用軸４３ａは、調圧弁２０を全体として蓋中央側に寄せるため、図４（ｂ）、（ｃ）に明示したように、弁操作用軸４３ａを進退方向と直交する方向の一端側に偏心量δを与えて連結されている。これは、炊飯器に付与した保温機能の性能を高めるためである。すなわち、図３、図５に示すように、調圧弁２０の弁孔２３は、下蓋部材１１の下側に取り付けられたヒータカバー１５に空いた孔１５ａに連通している。ヒータカバー１５の上側には、電熱ヒータとなるリード線１５ｂが外周に沿って添え付けられている。リード線１５ｂは、外周に近い程、ヒータカバー１５に長く配置することができ、ひいては発熱効率を高めて保温性能を向上させることができる。このため、孔１５ａをヒータカバー１５の外周から中央側に寄せるべく、調圧弁２０を全体として蓋中央側に寄せている。このような目的がなければ、図２（ａ）、（ｂ）に示す駆動軸３１と弁操作用軸４３ａは、同心に連結してもよい。
【００３０】
蓋フック１３側の接続枠部４４は、図１、図２（ａ）、（ｂ）に示すように、ソレノイドコイル３０の上方を跨ぐブリッジ状に設けられている。
【００３１】
図２（ａ）、（ｂ）、図６（ａ）、（ｂ）に示すように、操作伝達部１３ｃは、フック解除位置及びフック位置において補強板１２の平板部１２ｂの上方まで突き出ている。ロック部４５は、一方側の側枠部４１の摺動面よりも一方側に突き出るように設けることで操作伝達部１３ｃと直線配置されている。
【００３２】
駆動軸３１の進退により、ロック部４５及び弁操作用軸４３ａは、図２（ａ）、図３に示すように、ロック部４５が操作伝達部１３ｃの回転半径上でフック解除位置への変位を阻止し、かつ弁操作用軸４３ａがボール弁体２２を押さず、調圧弁２０の閉弁を許すロック位置と、図２（ｂ）、図６（ｂ）に示すように、ロック部４５が操作伝達部１３ｃの回転半径上から調圧弁２０側に外れて操作伝達部１３ｃのフック解除位置への変位を許し、かつ弁操作用軸４３ａがボール弁体２２を弾性シール部材２１ａを介して押して弁孔２３から浮かせ、調圧弁２０を強制開弁させるロック解除位置とを往復移動させられる。
したがって、図２（ａ）、図３に示すロック位置においては、蓋フック１３の係合が外れず、加圧炊飯状態を行なうことができると共に、その間の蓋開放を確実に防ぐことができる。図２（ｂ）、図６（ｂ）に示すロック解除位置においては、蓋の開放が可能になると共に、炊飯鍋内の減圧が行われた条件下での蓋開放を確実にすることができる。なお、ソレノイドコイル３０の励磁によりロック位置に移動するようにしたのは、ソレノイドコイル３０が故障しても、コイルばね３２によりロック解除位置への移動を確保することができ、逆の関係のときより安全性に優れるためである。
【００３３】
蓋フック１３側の接続枠部４４は、図２（ａ）、（ｂ）から明らかなように、上記往復移動のときにソレノイドコイル３０の上方に形成された蓋内部空間を通る。また、スライダ４０の全体は、ロック位置にあるき、ソレノイドコイル３０の両側にある。
【００３４】
この第１実施形態では、図４、図６（ａ）、（ｂ）に示すように、スライダ４０に、ロック部４５及び接続枠部４４から蓋フック１３側に突き出した回転規制部４６が設けられている。回転規制部４６は、ロック位置とロック解除位置とを往復移動するとき、平板部１２ｂの水平な上板面を摺動する。
【００３５】
回転規制部４６は、図６（ｂ）に示すように、ロック解除位置で、平板部１２ｂの上板面上に載った状態で停止している。このとき、操作伝達部１３ｃの回転半径上に位置し、ロック部４５より低く、かつ蓋フック１３側に突き出しているため、回転規制部４６とロック部４５との高低差で得られた空間により、蓋フック１３がフック解除位置へ変位することを可能とし、かつ蓋フック１３がフック解除位置に達した後に回転規制部４６が操作伝達部１３ｃの下板面に当るようになっている。
【００３６】
上記構成を有する第１実施形態に係る炊飯器は、ロック解除位置で操作伝達部１３ｃの下面を平板部１２ｂの上板面に当てて回転停止位置を決める構成と比して、両面を基準に考えたとき、平板部１２ｂの上板面に対する回転規制部４６高さが両面間を上下方向に間詰めする分、回転規制部４６と蓋フック１３の操作伝達部１３ｃとの当り高さが平板部１２ｂの上板面より上方になり、操作伝達部１３ｃの回転停止位置を回転規制部４６で同じ位置に決めながら、平板部１２ｂの上板面の固定位置を下げることができる。
したがって、第１実施形態に係る炊飯器は、平板部１２ｂの上板面の固定位置を下げた分、上蓋部材１０を大型化せずに、フランジ１２ａ、１２ａの平板部１２ｂの上板面からの立ち上がり高さを大きくすることができ、これにより、補強板１２の剛性を高めることができる。
【００３７】
また、第１実施形態に係る炊飯器は、ロック部４５と回転規制部４６を同じ操作伝達部１３ｃに当てることができるので、別途、ロック部４５を当てる係合部を設ける必要がない。
【００３８】
また、第１実施形態に係る炊飯器は、スライダ４０を利用して回転規制部４６を一体に設けることができ、部品数が増えない。
【００３９】
また、第１実施形態に係る炊飯器は、図２（ａ）、図３に示すように、ロック位置にあるスライダ４０の全体が、ソレノイドコイル３０の両側にあり、ソレノイドコイル３０から駆動軸３１が蓋フック１３側に突き出ないため、ソレノイドコイル３０を蓋フック１３側により近づけて配置することができる。このため、図示から明らかなように、ソレノイドコイル３０を蓋フック１３の操作伝達部１３ｃの脇に位置するまで蓋フック１３側に近づけることができる。その分、調圧弁２０側で部品や構造部の配置スペースを得られるので、蓋長さ方向のコンパクト化を図ることが可能になる。
【００４０】
なお、この第１実施形態では、スライダ４０を利用して回転規制部４６を設けたが、蓋内の他の部材を利用して同じ機能部を設けることもできる。
【００４１】
スライダに回転規制部を設けることを止めた変更例として、図７（ａ）、（ｂ）に第２実施形態に示す。図示のように、第２実施形態の回転規制部７１は、操作伝達部１３ｃに繋がる突片を下向きに折り曲げて操作伝達部１３ｃの下面より下方に突き出すように形成されている。このため、回転規制部７１により部品数は増えない。なお、他の構成は、上記第１実施形態と同じになっている。
【００４２】
別の変更例として、図８に第３実施形態に示す。図示のように、第３実施形態の回転規制部８１は、平板部１２ｂを上方に切り起こして前記上板面より上方に突き出すように形成されている。このため、回転規制部８１により部品数は増えない。なお、他の構成は、上記第１実施形態と同じになっている。
【００４３】
上記第１実施形態では、蓋フック１３の操作伝達部１３ｃとスライダ４０の回転規制部４６との当りで回転停止位置を決めたが、フック解除ボタンと回転規制部との当りで回転停止位置を決めることもできる。操作伝達部又はフック解除ボタンのいずれかの押し下げ動を止めれば、結果的にこれらの回転停止位置を決めることになるからである。
【００４４】
フック解除ボタンを用いた一例として、第４実施形態を図９に基づいて説明する。図示のように、第４実施形態では、フック解除ボタン１４’の下端に、蓋フック１３の操作伝達部１３ｃ’に解除操作を伝達する伝達用脚部１４ａと、ロック部４５’と係合するロック用脚部１４ｂとが形成されている。スライダ４０’がロック位置にある状態で、フック解除ボタン１４’のロック用脚部１４ｂの回転半径上にロック部４５’が位置し、これにより、フック解除ボタン１４’の押し下げがロック部４５’で阻止され、その結果、伝達用脚部１４ａが蓋フック１３の操作伝達部１３ｃ’を押し下げることができず、操作伝達部１３ｃ’のフック解除位置への変位が阻止される。スライダ４０’がロック解除位置にある状態で、回転規制部４６’とロック部４５’との高低差により、蓋フック１３’の回転規制がフック解除ボタン１４’と回転規制部４６’においてなされる。
この第４実施形態においても、回転規制部４６’の平板部１２ｂの上板面に対する高さ分、回転規制部４６’とフック解除ボタン１４’のロック用脚部１４ｂとの当り高さが平板部１２ｂの上板面より上方になり、操作伝達部１３ｃ’の回転停止位置を回転規制部４６’で同じ位置に決めながら、平板部１２ｂの上板面の固定位置を下げることができ、ひいては、上蓋部材１０を大型化せずに、補強板１２の剛性を高めることができる。
【００４５】
なお、特に図示しないが、フック解除ボタン１４’のロック用脚部１４ｂをロック部４５’に当てることに代えて、上記第３実施形態のように平板部１２ｂを切り起こした回転規制部とロック用脚部１４ｂとを当るように構成することも勿論可能である。
【図面の簡単な説明】
【００４６】
【図１】第１実施形態に係る炊飯器の蓋内の下面を斜め上方から示す要部斜視図
【図２】ａは図１のスライダがロック位置にある状態を上方から示す部分拡大平面図、ｂは図１のスライダがロック解除位置にある状態を上方から示す部分拡大平面図
【図３】図２（ａ）のＩＩＩ−ＩＩＩ線の切断面を示す部分拡大断面図
【図４】ａは図１のスライダの全体斜視図、ｂは図１のスライダの平面図、ｃは図１のスライダの後面図
【図５】図１の下蓋部材を下方から示す下面図
【図６】ａは図２（ａ）のＶＩ−ＶＩ線の切断面を示す部分拡大断面図、ｂは図２（ｂ）のＶＩ−ＶＩ線と同じ切断面を示す部分拡大断面図
【図７】ａは第２実施形態の回転規制部を示す要部拡大断面図、ｂは前記ａの部分拡大斜視図
【図８】第３実施形態の回転規制部を示す要部拡大断面図
【図９】ａは第４実施形態のスライダがロック位置にある状態の前記ＶＩ−ＶＩ線と同じ切断面を示す部分拡大断面図、ｂは第４実施形態のスライダがロック解除位置にある状態の前記ＶＩ−ＶＩ線と同じ切断面を示す部分拡大断面図
【符号の説明】
【００４７】
１０  上蓋部材
１１  下蓋部材
１２  補強板
１２ａ  フランジ
１２ｂ  平板部
１２ｃ、１２ｄ  軸支持部
１３  蓋フック
１３ａ  フック回転軸
１３ｂ  フック部
１３ｃ、１３ｃ’  操作伝達部
１４、１４’  フック解除ボタン
１４ａ  伝達用脚部
１４ｂ  ロック用脚部
１５  ヒータカバー
１５ａ  孔
１５ｂ  リード線
２０  調圧弁
２１  調圧弁設置室
２１ａ  弾性シール部材
２２  ボール弁体
２３  弁孔
２４  弁座
２５  弁室部材
３０  ソレノイドコイル
３１  駆動軸
３２  コイルばね
４０、４０’  スライダ
４１、４２  側枠部
４３、４４  接続枠部
４３ａ  弁操作用軸
４５、４５’  ロック部
４６、４６’７１、８１  回転規制部
５１、５２  ガイド
【図１】
0005037315.tif 000002
【図２】
0005037315.tif 000003
【図３】
0005037315.tif 000004
【図４】
0005037315.tif 000005
【図５】
0005037315.tif 000006
【図６】
0005037315.tif 000007
【図７】
0005037315.tif 000008
【図８】
0005037315.tif 000009
【図９】
0005037315.tif 000010